(57)【要約】下糸のもつれまたは切れなしに、下糸が連続的かつ安定的に引き出されるミシン用ボビンが開示される。ボビンは、回転釜装置の固定軸に分離可能に挿入され、十分に下糸が巻かれる巻取軸１０と、巻取軸１０の一端に一体に形成される第１のフランジ１２と、巻取軸１０の他端に一体に形成される第２のフランジ１４と、第１フランジ１２と間に第１の巻取部１８、第２フランジ１４との間に第２の巻取部２０を形成するための区画フランジ１６と、を備え、前記区画フランジ１６の外周全体に、複数の谷部２２及び山部２４が交互に形成され、谷部２２及び山部２４のそれぞれが、互いに同じ勾配を有し、側部２２ａが、各谷部２２の両側に形成されて、下糸が予め外されることを防ぐ。
2004507412.tif 000002
【特許請求の範囲】
【請求項１】
縫製作業が行われているときに下糸を供給するために、ミシンの回転釜装置に回転可能に設けられる、ミシン用のボビンであって、
前記回転釜装置の固定軸に分離可能に挿入され、十分に下糸が巻かれる巻取軸１０と、
前記巻取軸１０の一端に一体に形成される第１のフランジ１２と、
前記巻取軸１０の他端に一体に形成される第２のフランジ１４と、
前記第１のフランジ１２との間に第１の巻取部１８を形成し、前記第２のフランジ１４との間に第２の巻取部２０を形成するための区画フランジ１６と、
備え、
複数の谷部２２及び山部２４は、前記区画フランジ１６の外周全体に交互に形成され、
前記谷部２２及び前記山部２４のぞれぞれは、互いに同じ勾配を有し、
側部２２ａは、前記各谷部２２の両側に形成され、前記下糸が予め外されることを防ぐ、
ことを特徴とするボビン。
【請求項２】
請求項１記載のボビンであって、
前記区画フランジ１６は、６個乃至１２個の谷部２２及び山部２４付きで形成されることを特徴とするボビン。
【請求項３】
縫製作業が行われているときに下糸を供給するために、ミシンの回転釜装置に回転可能に設けられる、ミシン用のボビンであって、
回転釜装置の固定軸に分離可能に挿入され、十分に下糸が巻かれる巻取軸１０と、
前記巻取軸１０の一端に一体に形成される第１のフランジ１２と、
前記巻取軸１０の他端に一体に形成される第２のフランジ１４と、
前記第１のフランジ１２との間に第１の巻取部１８を形成し、前記第２のフランジ１４との間に第２の巻取部２０を形成するための区画フランジ１６と、
を備え、
前記区画フランジ２６の外周全体に、複数の鋸歯状の突出部３４が形成され、
当該突出部３４は、前記区画フランジ２６の半径方向に向けられた線状の側壁３２ａを有することを特徴とするボビン。
【発明の詳細な説明】
【０００１】
（技術分野）
本発明は、ミシン用ボビンに係り、特に、下糸のもつれまたは切れがなく、下糸が安定的に引き抜かれるミシン用ボビンに関する。
（背景技術）
一般に、ミシンは、Ｆｉｇ．１に示すように、下糸を供給するための回転釜装置を有する。この回転釜装置は、動力発生装置に回転可能に連結された駆動軸１に装着される外釜と、外釜２に収納される内釜３と、内釜３に収納され、下糸が巻かれるボビン４と、ボビン４を収納するためのボビンケース５と、を備える。ボビン４は、下糸が巻かれる円筒状の巻取軸４ａと、巻取軸４ａの両端に固定され、下糸の巻き量を制限するフランジ４ｂとから構成される。
【０００２】
しかし、実質上ボビンに巻かれる下糸の最大量または最大厚さは、縫い作業中に、縫い針の下向きの先端に巻きつけられた下糸が縫い針に接触されない最大量に設定される。従来のボビンでは、上述のような理由によって、ボビンに巻かれる下糸の量は、非常に制限されている。したがって、使用者または作業者は、空のボビンを新しいボビンに頻繁に交替しなければならないため、縫い作業の効率が低下するという問題がある。
【０００３】
最近では、従来のボビンの問題を解決するため、即ち、ボビンにより多くの下糸を巻くことを可能とするため、Ｆｉｇ．２に示すように、下糸の巻取領域が２つの領域に分けられたボビン６が提案されている。２つの巻取領域を有するボビン６は、巻取軸６ａの一端に形成され、相対的に大きな直径を有する第１のフランジ６ｂと、巻取軸６ａの他端に形成され、相対的に小さな直径を有する第２のフランジ６ｃとを備える。特に、巻取軸６ａの中央部には、区画フランジ７が形成される。下糸が円滑に区画フランジ７を渡ることができるように、区画フランジ７の周辺には谷部７ａと山部７ｂが交互に形成されている。第１のフランジ６ｂと区画フランジ７との間には、相対的に多くの下糸が巻かれる第１の巻取部８ａが形成されている。第２のフランジ６ｃと区画フランジ７との間には、相対的に少ない下糸が巻かれる第２の巻取部８ｂが形成されている。
【０００４】
このように、各巻取部８ａ，８ｂに巻かれる下糸の量が異なるのは、巻取軸６ａの両端に形成された各フランジ６ｂ，６ｃの幅または高さだけでなく、区画フランジ７に形成された複数の谷部７ａ及び山部７ｂによっても、下糸の巻き量が制限されるからである。
【０００５】
中央に区画フランジを有するボビンでは、下糸の巻き量がいくぶん増される。しかし、多少の問題点がある。その問題点を以下に説明する。
【０００６】
Ｆｉｇ２ｂは、Ｆｉｇ２ａの従来のボビンから下糸が引き出される状態を示す斜視図である。Ａは、第２の巻取部８ｂから第１の巻取部８ａに渡った下糸を示す。下糸が渡った部位は、谷部７ａと山部７ｂとの間の境界部に対応する。しかし、それは不変ではない。このような状況で、縫い作業中、巻取り領域に巻かれた下糸がすっかり引き出され、巻取り領域が、区画フランジを超えて他の巻取領域に変わる前に、ボビンの回転のために、Ａ状態の下糸が、区画フランジの谷部または山部から矢印方向に先にはずれてＢ状態となるかもしれない。下糸が予めはずれると、滑った下糸は、滑った下糸の長さ同じ時間、ボビンからそれず、そのため、連続して引き抜かれた他の下糸ともつれる。その結果、下糸は、裁縫領域に正常に供給されない。結局、このような現象により、下糸は切れる。したがって、縫製作業が中断され、これにより、作業能力が低下し、縫製品の品質が低下する。
（発明の開示）
したがって、本発明の目的は、ボビンから下糸が引き出されるときに、下糸がもつれたり切れたりすることを防止することができるミシン用ボビンを提供することである。
【０００７】
本発明の他の目的は、下糸が第１の巻取部と第２の巻取部との間の区画フランジを超えるときに、下糸が先に外れるのを防止することができるミシン用ボビンを提供することにある。
【０００８】
上述の目的及び効果を達成するため、
回転釜装置の固定軸に分離可能に挿入され、下糸が十分（ｓｕｂｓｔａｎｔｉａｌｌｙ）に巻かれる巻取軸と、
前記巻取軸の一端に一体に形成される第１のフランジと、
前記巻取軸の他端に一体に形成される第２のフランジと、
前記第１のフランジとの間に第１の巻取部、前記第２のフランジとの間に第２の巻取部を形成するための区画フランジと、
を備えた、ミシン用のボビンであって、
前記区画フランジの外周全体に複数の谷部及び山部が交互に形成され、前記谷部及び山部のそれぞれは、互いに同じ勾配を有し、側部は、前記各谷部の両側に形成され、前記下糸がまえもって滑り落ちるのを防ぐことを特徴とするボビンが提供される。
（図面の簡単な説明）
本発明の、上述の目的、他の特徴及び効果は、添付の図面に関して、その好ましい実施形態を説明することによって、より明らかになる。
Ｆｉｇ．１は、従来のミシン用回転釜装置を示す分解斜視図である。
Ｆｉｇ．２ａは、従来のミシン用ボビンの斜視図である。
Ｆｉｇ．２ｂは、Ｆｉｇ．２ａの従来のボビンから下糸が引き出される状態を示す斜視図である。
Ｆｉｇ．３は、本発明の第一実施形態に係るミシン用ボビンの斜視図である。
Ｆｉｇ．４は、Ｆｉｇ．３のボビンに下糸が巻かれた状態を示す断面図である。
Ｆｉｇ．５ａ乃至Ｆｉｇ．５ｃは、下糸が引き出される状態を示す断面図である。
Ｆｉｇ．６は、本発明の第２実施形態に係るミシン用ボビンの斜視図である。
Ｆｉｇ．７は、本発明の第１実施形態に係るミシン用ボビンの区画フランジに下糸がかかる状態を示す斜視図である。
（発明を実施するための最良の形態）
以下、本発明に係る望ましい実施形態を、添付図面に関して詳細に説明する。
【０００９】
Ｆｉｇ．３は、本発明の第１実施形態に係るミシン用ボビンの斜視図であり、Ｆｉｇ．４は、Ｆｉｇ．３のボビンに下糸が巻かれた状態を示す断面であり、本発明に係るミシン用ボビンは、基本的に、下糸を巻くための２つの巻取部を備える。即ち、ボビンは、回転釜装置の固定軸（不図示）に分離可能に挿入され、下糸が十分（ｓｕｂｓｔａｎｔｉａｌｌｙ）に巻かれる円筒状の巻取軸１０を備える。巻取軸１０の一端には、相対的に直径の大きい第１のフランジ１２が一体に形成されている。巻取軸１０の他端には、第１のフランジより直径の小さい第２のフランジ１４が一体に形成される。また、巻取軸１０の両端に形成された第１及び第２のフランジ１２，１４間の所に、区画フランジ１６が一体に形成される。したがって、区画フランジ１６のために、第１のフランジ１２と区画フランジ１６との間に、相対的に多くの下糸が巻かれる第１の巻取部１８が形成され、第２のフランジ１４と区画フランジ１６との間に、相対的に少ない下糸が巻かれる第２の巻取部２０が形成される。
【００１０】
ここで、第１の巻取部１８は、相対的に多くの下糸が巻かれる領域として定義される。第２の巻取部２０は、相対的に少ない下糸が巻かれ、且つ、裁縫針が上下に往復運動する領域として定義される。もちろん、第２の巻取部２０に巻かれる下糸の最大量は、最大に下降された裁縫針に接触しない下糸量に設定される。このことは、裁縫針で下糸が損傷したり切れることを防ぐことになる。
【００１１】
特に、巻取軸１０の適当な場所に設けられた区画フランジ１６の外周全体に沿って、複数の谷部２２及び山部２４が交互に形成されている。谷部２２及び山部２４のぞれぞれは、互いに、同じ曲率または勾配を有する。また、谷部２２の数は、山部２４の個数と同数とである。例えば、区画フランジ１６は、４個乃至１２個の谷部２２及び山部２４、好ましくは、６個乃至１２個の谷部２２及び山部２４、より好ましくは、８個の谷部２２及び山部２４付きで形成される。
【００１２】
さらに、側部２２ａは、谷部２２と山部２４との間の連結部として利用され、谷部２２及び山部２４のサイズを制限する。好ましくは、側部２２ａは、時計の針と反対の方向に向けられた直線の形状に形成される。このことは、下糸が谷部２２から前もって外れることを防止することになる。すなわち、第１の巻取部１８から下糸が完全に繰り出されてから、区画フランジ１６の谷部２２のうちの一つのから下糸が予め外れるのを防止するため、下糸が一時的に支持される。その後、下糸は、所望の位置及び時期ではずれる。
【００１３】
一方、Ｆｉｇ．６は、本発明の第２実施形態に係るミシン用ボビンの斜視図である。本実施形態のボビンは、生じるかもしれない問題の解決のために提案される。ボビンは、第１のフランジ１２と第２のフランジ１４との間に一体的に形成された区画フランジ１６を有する。区画フランジ１６の外周全体には、複数の鋸歯状の突出部３４が形成されている。鋸歯突出部３４のそれぞれは、区画フランジ２６の半径方向に向けられた直線型の側壁３２ａを有する。好ましくは、鋸歯突出部３４は、アーク形状に形成され、または、直線乃至曲線型に形成されてもよい。
【００１４】
以下、本発明の第１実施形態に係るミシン用ボビンの動作モードが、Ｆｉｇ．５ａ乃至５ｃに関して詳細に説明される。
【００１５】
下糸は、糸巻き器又はワインダーを用いて規定の方法でボビンに巻かれる。下糸Ｔは、第２の巻取部２０に巻かれ、区画フランジ１６の谷部２２のうちの一つを経て、その後、第１の巻取部１８に巻かれる。
【００１６】
このような状態で、縫製作業が始まると、下糸が、下糸の巻き方向と反対の方向に回転している間、ボビンの第１の巻取部１８の下糸が引き抜かれる。下糸Ｔが第１の巻取部１８から完全に繰り出された後、下糸は、区画フランジ１６の谷部２２に行き、第２の巻取部２０から引き出される。このとき、ボビンが継続的に回転している間、下糸は、谷部２２から外れずに、区画フランジ１６の谷部２２の側部２２ａによって谷部２２に保持される。下糸が所望の引張力で裁縫領域に向けて引き出される場合にだけ、下糸が、第２の巻取部２０に行き、そのあと引き出される。これにより、下糸が、早まってすべるのが防止され、したがって、縫製領域に供給されない下糸Ｔの余分の部分が、連続的に引き出された下糸ともつれることが完全に防止される。したがって、下糸を、規定の張力及び速度で裁縫領域に供給することができる。ここで、余分の部分は、第１の巻取部１８の巻取軸から第２の巻取部２０の最外部までの下糸に相当する。
【００１７】
一方、第２実施形態のボビンは、第１実施形態と同様に作動する。しかし、それらの間には、以下の差異がある。
【００１８】
Ｆｉｇ．７は、本発明の第１実施形態に係るミシン用ボビンの区画フランジに下糸が引っかけられた状態を示す斜視図である。縫製作業の休止等で下糸がゆるみ、Ｆｉｇ．７に示すように、ゆるんだ下糸が側部２２ａに引っかかってから、糸がはずされる矢印方向にボビンが回転した場合、引っかかった下糸が切れたりもつれたりするかもしれない。
【００１９】
本発明の第２実施形態は、上述の問題を解決するために提供される。第２実施の形態の区画フランジ２６は、下糸が巻かれる方向にだけ突き出した鋸歯状突出部３４を有する。したがって、下糸が切れたりもつれたりすることが完全に防止される。
【００２０】
そのため、ボビンから繰り出される下糸は、なんの損傷または切れもなく、最良の方向と張力でボビンケースを通過し、裁縫領域に供給され、これにより、縫製作業が迅速に実行される。
【００２１】
そのため、本発明に係るミシン用ボビンによれば、ボビンに巻かれた下糸が第１の巻取部から繰り出され、第２の巻取部に行く場合、下糸が、区画フランジの溝部から予め外れて、後続して引き出される下糸ともつれたり、下糸が、もつれで切れたりすることが防止され、これにより、信頼性及び経済性が向上する。
【００２２】
また、下糸が、中断することなく連続的に供給されるため、縫製作業の中断も防がれ、これにより、作業能力が向上する。
【００２３】
本発明が詳細に説明されたが、当業者であれば、添付されたクレームに述べた本発明の思想及び範囲を逸脱せずに様々な変更及び置換を実施し得ることを理解するであろう。
【図面の簡単な説明】
【Ｆｉｇ．１】Ｆｉｇ．１は、従来のミシン用回転釜装置を示す分解斜視図である。
【Ｆｉｇ．２ａ】Ｆｉｇ．２ａは、従来のミシン用ボビンの斜視図である。
【Ｆｉｇ．２ｂ】Ｆｉｇ．２ｂは、Ｆｉｇ．２ａの従来のボビンから下糸が引き出される状態を示す斜視図である。
【Ｆｉｇ．３】Ｆｉｇ．３は、本発明の第一実施形態に係るミシン用ボビンの斜視図である。
【Ｆｉｇ．４】Ｆｉｇ．４は、Ｆｉｇ．３のボビンに下糸が巻かれた状態を示す断面図である。
【Ｆｉｇ．５ａ】Ｆｉｇ．５ａは、下糸が引き出される状態を示す断面図である。
【Ｆｉｇ．５ｂ】Ｆｉｇ．５ｂは、下糸が引き出される状態を示す断面図である。
【Ｆｉｇ．５ｃ】Ｆｉｇ．５ｃは、下糸が引き出される状態を示す断面図である。
【Ｆｉｇ．６】Ｆｉｇ．６は、本発明の第２実施形態に係るミシン用ボビンの斜視図である
【Ｆｉｇ．７】Ｆｉｇ．７は、本発明の第１実施形態に係るミシン用ボビンの区画フランジに下糸が引っかかる状態を示す斜視図である。
【国際公開パンフレット】
2004507412.tif 000003
2004507412.tif 000004
2004507412.tif 000005
2004507412.tif 000006
2004507412.tif 000007
2004507412.tif 000008
2004507412.tif 000009
2004507412.tif 000010
2004507412.tif 000011
2004507412.tif 000012
2004507412.tif 000013
2004507412.tif 000014
2004507412.tif 000015
2004507412.tif 000016
2004507412.tif 000017
2004507412.tif 000018
2004507412.tif 000019
2004507412.tif 000020
2004507412.tif 000021
【国際公開パンフレット（コレクトバージョン）】
2004507412.tif 000022
【国際調査報告】
2004507412.tif 000023
2004507412.tif 000024